(57)【要約】【課題】本発明は、曲げ損失を発生しない程度に曲げた状態もしくは直線状態になるように光ファイバもしくは光ファイバコードを固定した場合であっても、光ファイバの心線対照を実現することを目的とする。【解決手段】本発明に係る心線対照システムは、光ファイバもしくは光ファイバコード９０、光入力部８４、固定部８３及び受光部８２を備える光ファイバの心線対照システムであって、光ファイバもしくは光ファイバコード９０の光ファイバ素線が、マルチコア光ファイバであり、光入力部８４が複数波長の光を波長ごとにマルチコア光ファイバの異なるコア７１へ入力するようになっており、受光部８２が、複数の波長のレイリー散乱光の空間分布を測定しマルチコアファイバの断面における異なるコアの位置関係を特定しその結果から光の伝搬方向を特定する機能を有する。【選択図】図４
2016053515.tif 000002
【特許請求の範囲】
【請求項１】
光ファイバもしくは光ファイバコードと、
前記光ファイバもしくは光ファイバコードに光を入力する光入力部と、
前記光ファイバもしくは光ファイバコードを固定する固定部と、
固定部位置において、前記光ファイバもしくは光ファイバコードから外部へ放射された光を受光する受光部と、
を備える光ファイバの心線対照システムであって、
前記光ファイバもしくは光ファイバコードの光ファイバ素線が、マルチコア光ファイバであり、
前記光入力部が、複数波長の光を波長ごとに前記マルチコア光ファイバの異なるコアへ入力するようになっており、
前記受光部が、複数の波長のレイリー散乱光の空間分布を測定しマルチコアファイバの断面における前記異なるコアの位置関係を特定し、その結果から光の伝搬方向を特定する機能を有すること
を特徴とする光ファイバの心線対照システム。
【請求項２】
前記固定部が、前記光ファイバもしくは光ファイバコード内を伝搬する前記光に対して、曲げ損失を発生しない程度に曲げた状態もしくは直線状態になるように前記光ファイバもしくは光ファイバコードを固定すること
を特徴とする請求項１に記載の光ファイバの心線対照システム。
【請求項３】
前記光入力部において、前記光ファイバもしくは光ファイバコードに波長４００ｎｍ以上１１００ｎｍ以下の光を入力すること
を特徴とする請求項１又は２に記載の光ファイバの心線対照システム。
【請求項４】
前記受光部において、前記光ファイバもしくは光ファイバコードから外部へ放射されたレイリー散乱光を集光する集光部が組み込まれていることを特徴とする請求項１から３のいずれかに記載の光ファイバの心線対照システム。
【請求項５】
光ファイバもしくは光ファイバコードと、
前記光ファイバもしくは光ファイバコードに光を入力する光入力部と前記光ファイバもしくは光ファイバコードを固定する固定部と、
固定部位置において、前記光ファイバもしくは光ファイバコードから外部へ放射された光を受光する受光部と、
を備える光ファイバの心線対照システムであって、
前記光ファイバもしくは光ファイバコードの光ファイバ素線が、マルチコア光ファイバであり、
前記光入力部が、所定波長の光を所定のコアへ入力するようになっており、
前記受光部が、レイリー散乱光の空間分布を測定し前記マルチコアファイバの断面におけるコアの位置関係を特定する機能を有すること
を特徴とする光ファイバの心線対照システム。
【請求項６】
請求項１から５のいずれかに記載の心線対照システムにおいて、光入力部より出力される光が変調されていることを特徴とする光ファイバの心線対照システム。
【請求項７】
光ファイバもしくは光ファイバコードと、
前記光ファイバもしくは光ファイバコードに光を入力する光入力部と、
前記光ファイバもしくは光ファイバコードを固定する固定部と、
固定部位置において、前記光ファイバもしくは光ファイバコードから外部へ放射された光を受光する受光部と、
を備える光ファイバの心線対照方法であって、
前記光ファイバもしくは光ファイバコードの光ファイバ素線が、マルチコア光ファイバであり、
前記光入力部が、複数波長の光を波長ごとに前記マルチコア光ファイバの異なるコアへ入力する光入力手順と、
前記受光部が、複数の波長のレイリー散乱光の空間分布を測定する受光手順と、
前記マルチコアファイバの断面における前記異なるコアの位置関係を特定し、その結果から光の伝搬方向を特定する演算手順と、
を順に有する光ファイバの心線対照方法。
【発明の詳細な説明】
【技術分野】
【０００１】
本発明は、光伝送システムにおいて光ファイバ心線を対照する心線対照システムに関する。
【背景技術】
【０００２】
光アクセスサービス浸透に伴い、大規模化した光設備を確実かつ効率的に保守・運用することが期待されている。保守・運用上重要な所望の光ファイバ心線を特定する心線対照技術が開発されている。信号波長帯より長波長の対照光を光ファイバに入力し、ファイバを湾曲させ、漏光する対照光をモニタすることで心線対照が可能である（図１及び図２並びに非特許文献１参照。）。
【０００３】
図１及び図２は、それぞれ、通信設備ビル内の光コードの心線対照及び屋外ケーブルの心線対照の例である。いずれも光源８１の出射する対照光は、ＯＬＴ（Ｏｐｔｉｃａｌ  Ｌｉｎｅ  Ｔｅｒｍｉｎａｌ）９２側から入力される。対照光の波長としては、波長１６５０ｎｍ付近の光が使用される。作業は、光ファイバもしくは光ファイバコード９０を湾曲し、光ファイバもしくは光ファイバコード９０から漏洩する光を識別器を用いてモニタする。通信設備ビル内であれば光配線架９３で光ファイバもしくは光ファイバコード９０を湾曲させ（図１）、屋外ケーブルであれば屋外で光ファイバもしくは光ファイバコード９０を湾曲させる（図２）漏洩光が確認できれば所望の光コードおよび光ファイバが特定されたことになる。
【０００４】
一方、高密度化した光配線設備では新設・廃止等の作業時に、誤って光コードおよび光ケーブルを引っ掛けて曲げ損失を増加させてしまい、通信遮断する可能性がある。そのため光ファイバコードおよび光ケーブルの光ファイバ素線を現在のシングルモードファイバから曲げ損失特性に優れる光ファイバ（低曲げ損失ファイバ。ｅｘ．高Δファイバ、ホールアシストファイバ（ＨＡＦ）等）の導入が進んでいる。
【０００５】
しかし、低曲げ損失光ファイバに従来の心線対照法を適用しようすると、対照光に対しても低曲げ損失となり対照光が漏洩し難くなる。そのため光ファイバもしくは光ファイバコード９０の曲げの曲率を大幅に大きくする必要（半径５ｍｍ以下）が生じ、光ファイバもしくは光ファイバコード９０を誤って破損させてしまう可能性があった。また、光ファイバもしくは光ファイバコード９０の種別によって曲げ条件や対照に使用する光源８１の波長を変える必要が生じるなど、対照作業自体や使用する曲げ付与ツールなどの構成が複雑になるという問題点があった。
【０００６】
また、近年、マルチコア光ファイバや数モード光ファイバの研究開発が急速に進展しているが、これらの光ファイバもしくは光ファイバコードが実用導入された際に、心線対照作業が必要になることが想定されるが、これらの光ファイバもしくは光ファイバコードに心線対照時に曲げを加えると、コア間もしくはモード間にクロストークが発生し、通信信号の伝送の妨げになることが懸念される。
【０００７】
さらに設備の保守及び運用上、光ファイバ心線に対してどの方向が通信設備ビル側（ＯＬＴ９２）もしくはユーザ側（ＯＮＵ９１）であるかを識別する必要がある場合がある（図３）。従来技術では非対称に光ファイバもしくは光ファイバコードを湾曲させ、漏洩光強度の方向依存性を把握することで識別していた。しかし、前術したように曲げ損失特性に優れる光ファイバ等に適用する場合、光ファイバの曲げの曲率を大幅に大きくする必要（半径５ｍｍ以下）が生じ、ファイバを誤って破損させてしまう可能性があった。
【先行技術文献】
【非特許文献】
【０００８】
【非特許文献１】有居正仁、東裕司、榎本圭高、鈴木勝晶、荒木則幸、宇留野重則、渡邉常一、「拡大する光アクセス網を支える光媒体網運用技術」、ＮＴＴ技術ジャーナル、ｖｏｌ．１８、ｎｏ．１２、ｐｐ．５８−６１、２００６
【発明の概要】
【発明が解決しようとする課題】
【０００９】
本発明は上記の事情に鑑みてなされたもので、曲げ損失を発生しない程度に曲げた状態もしくは直線状態になるように光ファイバもしくは光ファイバコードを固定した場合であっても、光ファイバの心線対照を実現することを目的とする。適用可能な光ファイバの種類は、ステップインデックス型光ファイバ、グレーデッドインデックス型光ファイバ、高Δ光ファイバ、ホールアシスト光ファイバ、フォトニッククリスタル光ファイバ、フォトニックバンドギャップ光ファイバ、マルチコア光ファイバ等のあらゆる光ファイバである。また、対照に用いる光源波長における上記のファイバのモード数についても、制限はなく、導波されるモードが少なくとも一つ存在すれば良い。さらに本発明がマルチコア光ファイバのコア位置の特定に適用できる。
【課題を解決するための手段】
【００１０】
上記目的を達成するため、本発明に係る心線対照システムは、光ファイバもしくは光ファイバコードと、前記光ファイバもしくは光ファイバコードに光を入力する光入力部と、前記光ファイバもしくは光ファイバコードを固定する固定部と、固定部位置において、前記光ファイバもしくは光ファイバコードから外部へ放射された光を受光する受光部と、を備える光ファイバの心線対照システムであって、
前記光ファイバもしくは光ファイバコードの光ファイバ素線が、マルチコア光ファイバであり、前記光入力部が、複数波長の光を波長ごとに前記マルチコア光ファイバの異なるコアへ入力するようになっており、前記受光部が、複数の波長のレイリー散乱光の空間分布を測定し前記マルチコアファイバの断面における前記異なるコアの位置関係を特定し、その結果から光の伝搬方向を特定する機能を有することを特徴とする。
【００１１】
また前記固定部が前記光ファイバもしくは光ファイバコード内を伝搬する前記光に対して、曲げ損失を発生しない程度に曲げた状態もしくは直線状態になるように前記光ファイバもしくは光ファイバコードを固定することを特徴とする。
【００１２】
また光入力部において前記光ファイバもしくは光ファイバコードに波長４００〜１１００ｎｍの光を入力することを特徴とする。
【００１３】
また本発明は、受光部において、光ファイバもしくは光ファイバコードから外部へ放射されたレイリー散乱光を集光する集光部が組み込まれていることを特徴とする。
【００１４】
また本発明は光ファイバもしくは光ファイバコードと、前記光ファイバもしくは光ファイバコードに光を入力する光入力部と前記光ファイバもしくは光ファイバコードを固定する固定部と、固定部位置において、前記光ファイバもしくは光ファイバコードからレイリー散乱によって外部へ放射された光を受光する受光部とから構成される光ファイバの心線対照システムにおいて、前記光ファイバもしくは光ファイバコードの光ファイバ素線が、マルチコア光ファイバであり、前記光入力部が所定波長の光を所定のコアへ入力するようになっており、前記受光部が、レイリー散乱光の空間分布を測定しマルチコアファイバの断面におけるコアの位置関係を特定する機能を有することを特徴とする。
【００１５】
本発明に係る心線対照方法は、光ファイバもしくは光ファイバコードと、前記光ファイバもしくは光ファイバコードに光を入力する光入力部と、前記光ファイバもしくは光ファイバコードを固定する固定部と、固定部位置において、前記光ファイバもしくは光ファイバコードから外部へ放射された光を受光する受光部と、を備える光ファイバの心線対照方法であって、前記光ファイバもしくは光ファイバコードの光ファイバ素線が、マルチコア光ファイバであり、前記光入力部が、複数波長の光を波長ごとに前記マルチコア光ファイバの異なるコアへ入力する光入力手順と、前記受光部が、複数の波長のレイリー散乱光の空間分布を測定する受光手順と、前記マルチコアファイバの断面における前記異なるコアの位置関係を特定し、その結果から光の伝搬方向を特定する演算手順と、を順に有する。
【００１６】
なお、上記各発明は、可能な限り組み合わせることができる。
【発明の効果】
【００１７】
本発明の心線対照システムは、曲げ損失を発生しない程度に曲げた状態もしくは直線状態になるように光ファイバもしくは光ファイバコードを固定した場合であっても、光ファイバの心線対照を実現することができる。
【図面の簡単な説明】
【００１８】
【図１】通信設備ビル内の光コードの心線対照例である。
【図２】屋外ケーブルの心線対照例である。
【図３】心線対照における対照光の伝搬方向の一例である。
【図４】本発明の実施形態に係る光ファイバの心線対照システムの基本構成を示す図である。
【図５】各種光ファイバの曲げ損失の曲げ半径依存性の一例である。
【図６】対照光受光パワーの入力パワー依存性の一例である。
【図７】受光パワーの対照光波長依存性の一例である。
【図８】実施形態１における受光器の概要図である。
【図９】実施形態１におけるコア特定のフロー図である。
【図１０】実施形態１における光結合損失のＰＤ位置依存性の一例である。
【図１１】実施形態１における受光したＰＤとコアの位置関係の第１例を示す。
【図１２】実施形態１における受光したＰＤとコアの位置関係の第２例を示す。
【図１３】実施形態２において光伝搬方向識別器として機能する受光器の概要図である。
【図１４】実施形態２におけるコア特定のフロー図である。
【図１５】実施形態２における受光したＰＤとコアの位置関係の一例を示す。
【図１６】実施形態２における光結合損失のＰＤ位置依存性の一例である。
【発明を実施するための形態】
【００１９】
以下、本発明の実施形態について、図面を参照しながら詳細に説明する。なお、本発明は、以下に示す実施形態に限定されるものではない。これらの実施の例は例示に過ぎず、本発明は当業者の知識に基づいて種々の変更、改良を施した形態で実施することができる。なお、本明細書及び図面において符号が同じ構成要素は、相互に同一のものを示すものとする。
【００２０】
（実施形態１）
図４に本発明の第一の実施形態に係る光ファイバの心線対照システムの概略を示す。本システムは、光入力部８４、光ファイバもしくは光ファイバコード９０、曲げ損失を発生しない程度に曲げた状態もしくは直線状態になるように前記光ファイバもしくは光ファイバコード９０を固定する固定部８３、光ファイバもしくは光ファイバコード９０からレイリー散乱によって外部へ放射された光を受光する受光部８２を備える。
【００２１】
光入力部８４は、光源８１からの対照光を光ファイバもしくは光ファイバコード９０へ入射する。対照光の波長は、任意であり、例えば、可視光又は近赤外光である。光源８１は、例えば、波長４００〜１１００ｎｍのレーザーダイオード、ＬＥＤ、アルゴンレーザー、Ｔｉサファイアレーザー、色素レーザ等を使用可能である。
【００２２】
光ファイバもしくは光ファイバコード９０は、図１及び図２に示す屋外ケーブルであってもよいし、通信設備ビル内の光ケーブルであってもよいし、ＩＤＭ−Ａ９３内の光コードであってもよい。光ファイバもしくは光ファイバコード９０の素線は、マルチコアファイバ等が使用可能である。対照に用いる光源８１の波長におけるファイバのモード数についても、制限はなく、導波されるモードが少なくとも一つ存在すれば良い。
【００２３】
固定部８３は、光ファイバもしくは光ファイバコード９０が周方向に回転しないように、かつ、曲げ損失を発生しない程度に曲げた状態もしくは直線状態になるように光ファイバもしくは光ファイバコード９０を固定する。ここで、固定部８３の固定する光ファイバもしくは光ファイバコード９０は、光ファイバコードであってもよいし、被覆を除去した光ファイバであってもよい。固定部８３は、Ｖ溝もしくは矩形溝もしくは円形溝等の形状が考えられるが、これに限定されるものではなく、その部分に光ファイバもしくは光ファイバコード９０を固定できれば良い。
【００２４】
受光部８２は、光ファイバもしくは光ファイバコード９０内での光のレイリー散乱によって、光ファイバもしくは光ファイバコード９０の外部へ放射された光を受光する。受光部８２は、Ｓｉフォトダイオード、Ｇｅフォトダイオード、ＧａＰフォトダイオード等を使用した受光器を使用可能である。受光部８２は、光ファイバもしくは光ファイバコード９０からの漏洩光を受光器に集光する集光レンズをさらに備えていてもよい。
【００２５】
心線対照の測定は、光源８１から出力される可視光もしくは近赤外光を光ファイバもしくは光ファイバコード９０に入力し、光ファイバもしくは光ファイバコード９０を固定部８３で固定した位置で受光部８２により光ファイバもしくは光ファイバコード９０で発生したレイリー散乱光の光強度を測定することで、実施される。
【００２６】
具体的には、本実施形態に係る心線対照方法は、光入力手順と、受光手順と、演算手順と、を順に有する。
光入力手順では、固定部８３が光ファイバもしくは光ファイバコード９０を固定した状態で、光入力部８４が複数のコア７１のうちの少なくともいずれかに、予め定められた波長を有する対照光を入力する。
受光手順では、受光部８２が、光ファイバもしくは光ファイバコード９０の周方向に配置された複数の受光器８２１を用いて、光ファイバもしくは光ファイバコード９０で散乱し外部へ放射された対照光を、光ファイバもしくは光ファイバコード９０からの放射方向ごとに受光する。
演算手順では、受光部８２に備わる演算機能が、複数の受光器８２１で受光した対照光の光パワー及び受光器８２１の位置に基づいて、対照光の入力されたコア７１を特定する。
【００２７】
また固定部８３における曲げ損失を発生しない程度に曲げた状態もしくは直線状態について説明する。図５に各種光ファイバの波長１６５０ｎｍにおける曲げ損失の曲げ半径依存性を示す。使用した光ファイバは、一般的なステップインデックス型のシングルモード光ファイバ（ＩＴＵ−ＴＧ．６５２準拠）、シングルモードホールアシスト光ファイバ（ＨＡＦ）、低曲げ損失のＨＡＦの３種類である。最も曲げ損失が大きいシングルモード光ファイバであっても、曲げ半径１５ｍｍ以上で曲げ損失がほぼゼロであり、これ以上の大きい曲げ半径では曲げによる漏洩光は発生しないため、光ファイバもしくは光ファイバコードの側面より観測される光は主にレイリー散乱光として扱うことができる。
【００２８】
なおマルチコア光ファイバは１つ１つのコアの導波構造はシングルモード光ファイバと同様なのでシングルモードをマルチコア光ファイバに置き換えられる。また本実施形態の光ファイバもしくは光ファイバコード９０における、「曲げ損失を発生しない程度に曲げた状態もしくは直線状態」とは、目安として６０ｍｍ以上の曲げ半径を指しており、本実施形態では、この状態でレイリー散乱によって、ファイバ被覆外に散乱・漏洩された光を測定するものである。
【００２９】
次に各波長の対照光について伝搬距離特性を示し、各波長の対照光の適用範囲について示す。図６に各波長の対照光を所定の入力パワーで入力し、受光部で受光した光パワーを示す。１２５μｍφのシングルモードファイバを内包した外径１．１ｍｍの光ファイバコードを光ファイバもしくは光ファイバコード９０として使用し、２０ｍの位置で受光した結果である。いずれの波長の対照光も入力パワーの変化に対する受光パワーの変化は線形的であり、波長５３２ｎｍ，６５５ｎｍで最も高い受光パワーが得られている。
【００３０】
図７に、各伝搬距離（１ｍ，２０ｍ，２ｋｍ，１０ｋｍ）における受光パワーの対照光波長依存性（入力対照光パワー：０ｄＢｍ）を示す。１ｍ程度の短距離で受光する場合、短波長の方がレイリー散乱光が大きいため、必然的に受光パワーも大きい。しかし距離が長くなるに従い、短波長の光は高いレイリー散乱により急激に減衰するため、２ｋｍを越えると受光パワー測定限界値の―７０ｄＢｍ（一例）より下回る場合がある。一方、長波長帯はレイリー散乱が小さいため、距離が短くても受光パワーは小さいが、距離が長くしても受光パワー減衰は微小である。従って短距離（２ｋｍ以下）の用途であれば、波長４００〜１１００ｎｍで受光可能であるが、中距離（１０ｋｍ以下）であれば波長８００〜１１００ｎｍの対照光を使用するのが望ましい。本例ではシングルモードファイバを使用したが、マルチコア光ファイバに置き換えて考えることも可能である。
【００３１】
マルチコア光ファイバコードに適用する場合の実施例を示す。本実施例では光ファイバコードに対して、６つのフォトダイオード（ＰＤ）でリング状に取り囲む構造になっており、６つのＰＤが受光する光パワーの空間分布から、マルチコア光ファイバ内のコアの位置を特定可能にする。
【００３２】
図８に、受光部８２の一例を示す。受光部８２は、２つのリング状ＰＤを備える。各リング状ＰＤは、光ファイバもしくは光ファイバコード９０の周方向に、６つのフォトダイオード（ＰＤ）８２１でリング状に取り囲む構造になっている。ＰＤ８２１は、対照光を、光ファイバもしくは光ファイバコード９０からの放射方向ごとに受光する。これにより、受光部８２は、６つのＰＤ８２１が受光する光パワーの空間分布から、マルチコア光ファイバ内のコア７１の位置を特定可能にする。
【００３３】
受光部８２は、受光波長の異なる２種類のリング状ＰＤ（バンドパスフィルタ付）を設置し、異なる波長の光（５５０ｎｍ［０ｄＢｍ］，６３０ｎｍ［３ｄＢｍ］）を異なるコア（ＣＡ，ＣＢ）へ入力する構成となっている。２波長（５５０，６３０ｎｍ）の光を同時に入力することで、マルチコア光ファイバのコア７１の位置だけでなく光ファイバコードにおける光の伝搬方向（入力）についても判別が可能となる。
【００３４】
図９に光の伝搬方向の特定フロー例を示す。
最初に、所定の２波長の光を対照する光ファイバもしくは光ファイバコード９０の所定の異なるコア７１へ入力する（Ｓ１０１）。この際、方向性を判別するため、入力する２つのコア７１の位置をファイバ中心に対して点対称にならない位置関係に設置する。
次に、光ファイバもしくは光ファイバコード９０の所定位置（対照したい位置）に設置された６個のＰＤ（２波長分で合計１２個）８２１において個々の光パワーを測定する（Ｓ１０２）。一方のリング状ＰＤに備わる各ＰＤ８２１は、波長５５０ｎｍの対照光を受光する。他方のリング状ＰＤに備わる各ＰＤ８２１は、波長６３０ｎｍの対照光を受光する。これにより、計１２個のＰＤを用いて２波長の対照光を受光する。
【００３５】
次に、受光部８２は、光結合損失とＰＤ８２１の位置関係を波長ごとにマッピングする（Ｓ１０３）。受光部８２は、各波長ごとの最も結合損失が小さい位置が所定コア７１の近接位置と識別する。図１０に各ＰＤ位置における結合損失を示す。ＣＡについてＰＤ位置＃４，ＣＢについてはＰＤ位置＃５において結合損失が最も小さく（Ｓ１０４）、その近傍に各コア７１が存在することが分かった（Ｓ１０５）。
【００３６】
次に、光伝搬方向の識別について説明する。受光部８２は、対照光の波長及び受光器８２１の位置に基づいて、対照光の伝搬方向を特定する。例えば、受光した時の２つのコアの位置関係は図１１及び図１２が考えられる。図８で示した光伝搬方向で考えると、光伝搬方向に対して時計回りにＣＡ（５５０ｎｍ），ＣＢ（６３０ｎｍ）の順にある位置関係が正しい。従って、受光部８２は、図１１は紙面表面から裏面へ貫く方向、図１２は紙面裏面から表面へ貫く方向に光の伝搬方向があると識別することができる（Ｓ１０５）。
【００３７】
また光入力部８４から出力光を変調し、それに対応した受光部８２を用意することでＳ／Ｎ比の改善が可能ある。図８において１ｋＨｚの変調信号を使用した場合２０ｄＢ程度の受光感度の改善が見られ、特に外光の影響が大きい場合に有効である。本実施形態においては、隣接する２つのコアに異なる波長の光を入力する構成としたが、必要に応じて、入力するコア数および波長数を３以上とすることも可能である。
【００３８】
本実施形態の心線対照システムは、光ファイバもしくは光ファイバコード９０を湾曲させずとも光ファイバ心線の対照が可能であるため、作業時に誤って光ファイバもしくは光ファイバコード９０を破損するリスクを大幅に低減可能である。また低曲げ損失の光ファイバもしくは光ファイバコードであっても、対照光を受光することが可能である。また、曲げ付与用のツールが不要となり、将来、導入が予想される数モード光ファイバの心線対照も可能である。さらにマルチコア光ファイバ使用時には、光の伝搬方向を特定可能である。また当技術により、マルチコア光ファイバの断面内おけるコア位置を特定できることは言うまでもない。
【００３９】
（実施形態２）
本実施形態では、マルチコア光ファイバにおいて、１つのコア７１のみに光を入力しコア７１の位置を特定する場合の実施形態についても示す。図１３に、本実施形態における受光部８２の一例を示す。本実施形態の受光部８２は、光ファイバもしくは光ファイバコード９０に対して、６つのフォトダイオード（ＰＤ）８２１でリング状に取り囲む構造になっている。本実施形態に係る心線対照システムは、６つのＰＤ８２１が受光する光パワーの空間分布から、マルチコア光ファイバ内のコア７１の位置を特定可能にする。
【００４０】
図１４に、コア特定のフローを示す。
最初に所定波長の光をマルチコア光ファイバコードの所定のコア７１へ入力する（Ｓ２０１）。次に光ファイバコードの所定位置（対照したい位置）に設置された６つのＰＤにおいて個々の光パワーを測定する（Ｓ２０２）。次に光結合損失とＰＤの位置関係をマッピングする（Ｓ２０３）。その結果、最も結合損失が小さいＰＤ位置が所定コア７１の近接位置と判定される。
【００４１】
図１６は波長５５０ｎｍ（０ｄＢｍ）の光を入力光に使用した場合のマッピングした結果である。ＰＤ位置＃４において結合損失が最も小さいことから、図１５に示すように、その近傍にコアが存在することが確認された。
【００４２】
本実施形態においては、隣接する１つのコア７１に１波長の光を入力する構成としたが、複数のコア７１へ異なる波長の光を入力することで測定精度を向上させることが可能である。
【産業上の利用可能性】
【００４３】
本発明は情報通信産業に適用することができる。
【符号の説明】
【００４４】
７１：コア
８１：光源
８２：受光部
８２１：ＰＤ
８３：固定部
８４：光入力部
８５：集光レンズ
９０：光ファイバもしくは光ファイバコード
９１：ＯＮＵ
９２：ＯＬＴ
９３：光配線架
【図１】
2016053515.tif 000003
【図２】
2016053515.tif 000004
【図３】
2016053515.tif 000005
【図４】
2016053515.tif 000006
【図５】
2016053515.tif 000007
【図６】
2016053515.tif 000008
【図７】
2016053515.tif 000009
【図８】
2016053515.tif 000010
【図９】
2016053515.tif 000011
【図１０】
2016053515.tif 000012
【図１１】
2016053515.tif 000013
【図１２】
2016053515.tif 000014
【図１３】
2016053515.tif 000015
【図１４】
2016053515.tif 000016
【図１５】
2016053515.tif 000017
【図１６】
2016053515.tif 000018